【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
音声信号を取得する第１取得手段と、
参照期間を設定する第１設定手段と、
前記参照期間と同じ時間幅を有する期間であって、前記参照期間とは異なる期間である、複数の比較期間を設定する第２設定手段と、
複数の比較期間の中から、前記参照期間における音声信号と類似した音声信号の期間である複数の類似期間を検出する第１検出手段と、
前記参照期間における音声信号に含まれる基本周波数を検出する第２検出手段と、
前記第２検出手段で検出された前記基本周波数に基づいて、前記類似期間毎に、前記参照期間における前記基本周波数の音声信号と、前記類似期間における前記基本周波数の音声信号と、の間の位相差を取得する第２取得手段と、
前記第２取得手段で取得された前記類似期間毎の位相差に基づいて、前記複数の類似期間の中から、２つ以上の類似期間を選択する選択手段と、
前記参照期間における音声信号と、前記選択手段で選択された前記２つ以上の類似期間のそれぞれにおける音声信号と、に基づいて、前記参照期間における音声信号として設定する置換信号を生成する生成手段と、
前記参照期間における音声信号を前記置換信号に置換する置換手段と、
を有することを特徴とする音声処理装置。
【請求項２】
前記選択手段は、前記２つ以上の類似期間の位相差のばらつきが増すように、前記２つ以上の類似期間を選択する
ことを特徴とする請求項１に記載の音声処理装置。
【請求項３】
前記選択手段は、前記位相差が互いに等しい複数の類似期間のうち、前記参照期間における音声信号との音声信号の類似度が最も高い類似期間を、前記２つ以上の類似期間の１つとして優先的に選択する
ことを特徴とする請求項２に記載の音声処理装置。
【請求項４】
前記第２取得手段は、前記参照期間と前記類似期間の間の時間差を前記基本周波数の周期で除算することによって得られる整数値と余りのうち、前記余りを前記参照期間と前記類似期間の間の位相差として取得する
ことを特徴とする請求項１〜３のいずれか１項に記載の音声処理装置。
【請求項５】
前記生成手段は、前記参照期間における音声信号と前記２つ以上の類似期間のそれぞれにおける音声信号とを重みづけ加算することにより、前記置換信号を生成する
ことを特徴とする請求項１〜４のいずれか１項に記載の音声処理装置。
【請求項６】
前記生成手段は、前記類似期間における音声信号の重みとして、前記参照期間における音声信号との音声信号の類似度が高いほど大きい重みを使用する
ことを特徴とする請求項５に記載の音声処理装置。
【請求項７】
前記第２検出手段は、前記参照期間における音声信号をフーリエ変換することにより、前記基本周波数を検出する
ことを特徴とする請求項１〜６のいずれか１項に記載の音声処理装置。
【請求項８】
前記第２検出手段は、前記参照期間における音声信号をフーリエ変換することにより得られる複数の周波数のうち、大きさが所定値より大きい周波数を、前記基本周波数として検出する
ことを特徴とする請求項７に記載の音声処理装置。
【請求項９】
前記第２検出手段は、前記参照期間における音声信号をフーリエ変換することにより大きさが所定値より大きい周波数が複数得られた場合に、大きさが所定値より大きい複数の周波数のうち、最も低い周波数を、前記基本周波数として検出する
ことを特徴とする請求項７または８に記載の音声処理装置。
【請求項１０】
前記第１検出手段は、前記参照期間における音声信号との音声信号の類似度が高い比較期間から順番にＮ個（Ｎは３以上の整数）の比較期間のそれぞれを、前記類似期間として検出する
ことを特徴とする請求項１〜９のいずれか１項に記載の音声処理装置。
【請求項１１】
前記第１取得手段は、第１音声信号を取得する第３取得手段と、前記第１音声信号に対して遅延した第２音声信号を取得する第４取得手段と、を有し、
前記音声処理装置は、前記第１音声信号に対する前記第２音声信号の遅延時間を検出する第３検出手段、をさらに有し、
前記生成手段は、前記参照期間における第１音声信号として設定する第１置換信号を生成する際に、前記２つ以上の類似期間を前記遅延時間だけ遅延させた２つ以上の期間のそれぞれにおける第２音声信号をさらに使用する
ことを特徴とする請求項１〜１０のいずれか１項に記載の音声処理装置。
【請求項１２】
前記第１設定手段は、第１参照期間と、前記第１参照期間を前記遅延時間だけ遅延させた第２参照期間と、を設定し、
前記第１置換信号は、前記第１参照期間における第１音声信号として設定する音声信号であり、
前記生成手段は、前記第２参照期間における第２音声信号として設定する音声信号である第２置換信号を生成する際に、前記２つ以上の類似期間として、前記第１置換信号を生成する際に用いた２つ以上の類似期間を前記遅延時間だけ遅延させた２つ以上の期間を使用する
ことを特徴とする請求項１１に記載の音声処理装置。
【請求項１３】
光学レンズと、
前記光学レンズを駆動する駆動手段と、
を有し、
前記第１設定手段は、前記光学レンズの駆動期間を前記参照期間として設定する
ことを特徴とする請求項１〜１２のいずれか１項に記載の音声処理装置。
【請求項１４】
音声信号を取得する第１取得ステップと、
参照期間を設定する第１設定ステップと、
前記参照期間と同じ時間幅を有する期間であって、前記参照期間とは異なる期間である、複数の比較期間を設定する第２設定ステップと、
複数の比較期間の中から、前記参照期間における音声信号と類似した音声信号の期間である複数の類似期間を検出する第１検出ステップと、
前記参照期間における音声信号に含まれる基本周波数を検出する第２検出ステップと、
前記第２検出ステップで検出された前記基本周波数に基づいて、前記類似期間毎に、前記参照期間における前記基本周波数の音声信号と、前記類似期間における前記基本周波数の音声信号と、の間の位相差を取得する第２取得ステップと、
前記第２取得ステップで取得された前記類似期間毎の位相差に基づいて、前記複数の類似期間の中から、２つ以上の類似期間を選択する選択ステップと、
前記参照期間における音声信号と、前記選択ステップで選択された前記２つ以上の類似期間のそれぞれにおける音声信号と、に基づいて、前記参照期間における音声信号として設定する置換信号を生成する生成ステップと、
前記参照期間における音声信号を前記置換信号に置換する置換ステップと、
を有することを特徴とする音声処理方法。
【請求項１５】
コンピュータを請求項１〜１３のいずれか１項に記載の音声処理装置の各手段として機能させるためのプログラム。
【手続補正２】
【補正対象書類名】明細書
【補正対象項目名】０００６
【補正方法】変更
【補正の内容】
【０００６】
本発明の第１の態様は、
音声信号を取得する第１取得手段と、
参照期間を設定する第１設定手段と、
前記参照期間と同じ時間幅を有する期間であって、前記参照期間とは異なる期間である、複数の比較期間を設定する第２設定手段と、
複数の比較期間の中から、前記参照期間における音声信号と類似した音声信号の期間である複数の類似期間を検出する第１検出手段と、
前記参照期間における音声信号に含まれる基本周波数を検出する第２検出手段と、
前記第２検出手段で検出された前記基本周波数に基づいて、前記類似期間毎に、前記参照期間における前記基本周波数の音声信号と、前記類似期間における前記基本周波数の音声信号と、の間の位相差を取得する第２取得手段と、
前記第２取得手段で取得された前記類似期間毎の位相差に基づいて、前記複数の類似期間の中から、２つ以上の類似期間を選択する選択手段と、
前記参照期間における音声信号と、前記選択手段で選択された前記２つ以上の類似期間のそれぞれにおける音声信号と、に基づいて、前記参照期間における音声信号として設定する置換信号を生成する生成手段と、
前記参照期間における音声信号を前記置換信号に置換する置換手段と、
を有することを特徴とする音声処理装置である。
【手続補正３】
【補正対象書類名】明細書
【補正対象項目名】０００７
【補正方法】変更
【補正の内容】
【０００７】
本発明の第２の態様は、
音声信号を取得する第１取得ステップと、
参照期間を設定する第１設定ステップと、
前記参照期間と同じ時間幅を有する期間であって、前記参照期間とは異なる期間である、複数の比較期間を設定する第２設定ステップと、
複数の比較期間の中から、前記参照期間における音声信号と類似した音声信号の期間である複数の類似期間を検出する第１検出ステップと、
前記参照期間における音声信号に含まれる基本周波数を検出する第２検出ステップと、
前記第２検出ステップで検出された前記基本周波数に基づいて、前記類似期間毎に、前記参照期間における前記基本周波数の音声信号と、前記類似期間における前記基本周波数の音声信号と、の間の位相差を取得する第２取得ステップと、
前記第２取得ステップで取得された前記類似期間毎の位相差に基づいて、前記複数の類似期間の中から、２つ以上の類似期間を選択する選択ステップと、
前記参照期間における音声信号と、前記選択ステップで選択された前記２つ以上の類似期間のそれぞれにおける音声信号と、に基づいて、前記参照期間における音声信号として設定する置換信号を生成する生成ステップと、
前記参照期間における音声信号を前記置換信号に置換する置換ステップと、
を有することを特徴とする音声処理方法である。
【手続補正４】
【補正対象書類名】明細書
【補正対象項目名】０００８
【補正方法】変更
【補正の内容】
【０００８】
本発明の第３の態様は、コンピュータを上述した音声処理装置の各手段として機能させるためのプログラムである。